(57)【特許請求の範囲】
【請求項１】
上枠部材及び下枠部材、並びにこれら上枠部材及び下枠部材の端部どうしを連結する左右一対の縦枠部材からなるカーテンウォールユニットを上下左右に接続することにより形成された、建物の外壁材を構成するカーテンウォールにおいて、
互いに隣接し、かつそれぞれの縦断面形状が異なるカーテンウォールユニット間に介在して装着された介装部材を備え、
前記介装部材は、それぞれ上枠部材に相当する部位の端部を覆うよう取り付けられた蓋部どうしが互いに弾性変形しながら圧着されることによりカーテンウォールユニットどうしを接続するものであって、一方のカーテンウォールユニットの上枠部材に付設されたアタッチメント部材と、他方のカーテンウォールユニットの上枠部材との間に介在して装着されたことを特徴とするカーテンウォール。
【請求項２】
前記介装部材は、自身が介在するカーテンウォールユニット間の水の移動を遮断することを特徴とする請求項１に記載のカーテンウォール。
【発明の詳細な説明】
【技術分野】
【０００１】
本発明は、建物の外壁材を構成するカーテンウォールに関するものである。
【背景技術】
【０００２】
従来、建物の外壁材を構成するカーテンウォールは、カーテンウォールユニットと称される矩形状の枠部材に例えばコンクリートパネルやガラスパネル等の面材を保持させて、これらカーテンウォールユニットを上下左右に接続することにより形成されている。
【０００３】
このようなカーテンウォールユニットの接続タイプとして、互いに隣接するカーテンウォールユニット間において、対向する枠部材どうしを相互に凹凸嵌合して気密に接続するインターロックタイプと（例えば、特許文献１参照）、対向する枠部材どうしを弾性材からなる環状ガスケット部材を介在させて気密に接続する環状ガスケットタイプとが知られている（例えば、特許文献２参照）。
【０００４】
インターロックタイプは、直線を基調とする部位を形成するのに有用である。環状ガスケットタイプは、多角面を構成する部位を形成するのに有用であるが、インターロックタイプに比して製造コストが高くなってしまう。このようなインターロックタイプ及び環状ガスケットタイプのいずれか一方の方式を採用してカーテンウォールを形成するのが一般的であった。
【先行技術文献】
【特許文献】
【０００５】
【特許文献１】特開平８−４２０３３号公報
【特許文献２】特開平５−３３１９３８号公報
【発明の概要】
【発明が解決しようとする課題】
【０００６】
ところで、近年、建物においては独自のデザイン性等を有することが求められており、曲面や多角面等が取り入れられたものも多く見受けられる。このような曲面や多角面等が取り入れられた建物を製造するには、環状ガスケットタイプが適用されることになるが、カーテンウォール全体を環状ガスケットタイプのカーテンウォールユニットで形成すると、製造コストが過大なものとなってしまう。そのため、かかる建物における直線を基調とする部位にはインターロックタイプのカーテンウォールユニットを適用することにより製造コストの低減化を図ることが考えられる。
【０００７】
しかしながら、インターロックタイプのカーテンウォールユニットと、環状ガスケットタイプのカーテンウォールユニットとでは、その断面形状が異なるために、これらカーテンウォールユニットを気密性及び水密性を確保しながら接続することは困難であった。
【０００８】
本発明は、上記実情に鑑みて、互いに隣接する異なる断面形状を有するカーテンウォールユニットどうしを良好に接続することができるカーテンウォールを提供することを目的とする。
【課題を解決するための手段】
【０００９】
上記目的を達成するために、本発明の請求項１に係るカーテンウォールは、上枠部材及び下枠部材、並びにこれら上枠部材及び下枠部材の端部どうしを連結する左右一対の縦枠部材からなるカーテンウォールユニットを上下左右に接続することにより形成された、建物の外壁材を構成するカーテンウォールにおいて、互いに隣接し、かつそれぞれの縦断面形状が異なるカーテンウォールユニット間に介在して装着された介装部材を備え、前記介装部材は、それぞれ上枠部材に相当する部位の端部を覆うよう取り付けられた蓋部どうしが互いに弾性変形しながら圧着されることによりカーテンウォールユニットどうしを接続するものであって、一方のカーテンウォールユニットの上枠部材に付設されたアタッチメント部材と、他方のカーテンウォールユニットの上枠部材との間に介在して装着されたことを特徴とする。
【００１０】
これによれば、互いに隣接するカーテンウォールユニットどうしの縦断面形状が異なっていてもこれら蓋部が弾性変形して吸収することができる。しかも、蓋部は上枠部材に相当する部位の端部を覆っているから雨水等の水が各カーテンウォールユニットに進入することを防止することができる。また、一方のカーテンウォールユニットの上枠部材と他方のカーテンウォールユニットの上枠部材との高さ寸法が異なる場合に、一方の上枠部材にアタッチメント部材を付設することで高さ寸法の差を小さいものとし、互いのカーテンウォールユニットどうしを確実に接続することができる。
【００１１】
また、本発明の請求項２に係るカーテンウォールは、上述した請求項１において、前記介装部材は、自身が介在するカーテンウォールユニット間の水の移動を遮断することを特徴とする。
【００１２】
これによれば、互いに隣接するカーテンウォールユニット間での水の移動が生ずることなく、雨水等の水は下方に向けて移動することとなり、カーテンウォールユニット間での水密性を確保することができる。
【発明の効果】
【００１５】
本発明に係るカーテンウォールによれば、互いに隣接する異なる断面形状を有するカーテンウォールユニットどうしを良好に接続することができるという効果を奏する。
【図面の簡単な説明】
【００１６】
【図１】図１は、本発明の実施の形態であるカーテンウォールが適用された建物を模式的に示すもので、（ａ）は斜視図であり、（ｂ）は平面図である。
【図２】図２は、本発明の実施の形態であるカーテンウォールの要部を拡大して模式的に示す横断面図である。
【図３】図３は、図２に示すカーテンウォールの多角部と直線部との境界にあるカーテンウォールユニットどうしの接続状態を模式的に示す斜視図である。
【図４】図４は、図３に示したカーテンウォールユニットを分離して示すもので、各カーテンウォールユニットの上部を示す斜視図である。
【図５】図５は、図３に示したカーテンウォールユニットを分離して示すもので、各カーテンウォールユニットの下部を示す斜視図である。
【発明を実施するための形態】
【００１７】
以下に添付図面を参照しながら、本発明に係るカーテンウォールの好適な実施の形態について詳細に説明する。
【００１８】
図１は、本発明の実施の形態であるカーテンウォールが適用された建物を模式的に示す説明図である。ここで例示する建物１は、例えばビルやマンション等であり、外壁が多角状に形成された多角部２と、外壁が直線状に形成された直線部３とを有し、これらの組み合わせにより成るものである。
【００１９】
図２は、図１に示した建物に適用されるカーテンウォールの要部を拡大して模式的に示す横断面図である。ここで例示するカーテンウォールは、複数のカーテンウォールユニット１０が上下左右に接続されて形成されるものである。ここでカーテンウォールユニット１０は、上枠部材１１（１１ａ，１１ｂ）、下枠部材１２（１２ａ，１２ｂ）及び左右一対の縦枠部材１３（１３ａ，１３ｂ）を枠組みすることによって構成した枠の内部に面材パネル１４（１４ａ，１４ｂ）を保持させたものである。
【００２０】
このようなカーテンウォールユニット１０は、カーテンウォールの多角部２においては、上述したような環状ガスケットタイプのものが適用されて上下左右に隣接するカーテンウォールユニットと接続する。一方、カーテンウォールの直線部３においては、図には明示しないが、上述したようなインターロックタイプのものが適用されて上下左右に接するカーテンウォールユニットと接続する。
【００２１】
そして、図２に示すように、カーテンウォールの多角部２と直線部３との境界においては、互いに隣接するカーテンウォールユニット１０は次のように接続することになる。
【００２２】
図３は、図２に示すカーテンウォールの多角部２と直線部３との境界にあるカーテンウォールユニット１０どうしの接続状態を模式的に示す斜視図である。図４は、図３に示したカーテンウォールユニット１０を分離して示すもので、各カーテンウォールユニット１０の上部を示す斜視図である。図５は、図３に示したカーテンウォールユニット１０を分離して示すもので、各カーテンウォールユニット１０の下部を示す斜視図である。
【００２３】
これら図３〜図５に示すように、直線部３を構成するカーテンウォールユニット１０（以下、第１カーテンウォールユニット１０ａともいう）においては、上枠部材１１ａは、自身の上部に位置するカーテンウォールユニットの下枠部材１２ａと嵌合可能なように嵌合部１１１が形成してある。この嵌合部１１１を形成する板材の一部に貫通孔１１２が形成してある。当該貫通孔１１２は、雨水等が嵌合部１１１内に進入した場合に、外部に排出するためのものである。
【００２４】
このような上枠部材１１ａのうち多角部２を構成するカーテンウォールユニット１０（以下、第２カーテンウォールユニット１０ｂともいう）と対向する端部には、スポンジ等からなる第１蓋部３０が取り付けてある。かかる第１蓋部３０は、該上枠部材１１ａの嵌合部１１１に対応するよう切欠３１が形成されているが、該上枠部材１１ａの端部を覆う態様で取り付けてある。
【００２５】
図には明示しないが、第１カーテンウォールユニット１０ａの下枠部材１２ａも、自身の下部に位置するカーテンウォールユニットの上枠部材と嵌合可能なように嵌合部が形成してある。また、これら上枠部材１１ａ及び下枠部材を連結する縦枠部材１３ａであって、第２カーテンウォールユニット１０ｂと対向するものと反対側に位置するものは、互いに隣接するカーテンウォールユニットであって自身に対向する縦枠部材と嵌合可能なように嵌合部が形成してある。
【００２６】
一方、第１カーテンウォールユニット１０ａの縦枠部材１３ａであって、第２カーテンウォールユニット１０ｂの縦枠部材１３ｂと対向するものは、図４及び図５に示すように、上下方向に沿って延在する複数（図示の例では２つ）の長尺状のガスケット部材２１ａ，２２ａが設けてある。これらガスケット部材２１ａ，２２ａのうち前方側に配設されたものは、平板状の突出部が形成されてなるものであり、対向する縦枠部材１３ｂのガスケット部材２１ｂと当接して、雨水等の前方側からの進入を防ぐレインバリアとしての役割を有している。一方、後方側に配設されたガスケット部材２２ａは、突出する部分が環状をなしており、対向する縦枠部材１３ｂのガスケット部材２２ｂと当接して、気密性を確保するウインドバリアとしての役割を有している。
【００２７】
第２カーテンウォールユニット１０ｂにおいては、上枠部材１１ｂは、第１カーテンウォールユニット１０ａの上枠部材１１ａのように嵌合部１１１を有していないため、該上枠部材１１ａとの高さ寸法に差があるため、アタッチメント部材１５が付設してある。このアタッチメント部材１５は、前方に向けて漸次下方に傾斜する傾斜面を有している。
【００２８】
このようなアタッチメント部材１５及び上枠部材１１ｂのうち第１カーテンウォールユニット１０ａと対向する端部には第２蓋部３２が取り付けてある。かかる第２蓋部３２は、上記第１蓋部３０と同じ材質から形成された弾性部材であり、該アタッチメント部材１５及び上枠部材１１ｂの端部を覆う態様で取り付けてある。
【００２９】
また、このようなカーテンウォールユニット１０ｂを構成する縦枠部材１３ｂは、図４及び図５に示すように、上下方向に沿って延在する複数（図示の例では２つ）の長尺状のガスケット部材２１ｂ，２２ｂが設けてある。これらガスケット部材２１ｂ，２２ｂのうち前方側に配設されたものは、平板状の突出部が形成されてなるものであり、対向する縦枠部材１３ａのガスケット部材２１ａと当接して、雨水等の前方側からの進入を防ぐレインバリアとしての役割を有している。一方、後方側に配設されたガスケット部材２２ｂは、突出する部分が環状をなしており、対向する縦枠部材１３ａのガスケット部材２２ａと当接して、気密性を確保するウインドバリアとしての役割を有している。
【００３０】
そして、上記第１カーテンウォールユニット１０ａと第２カーテンウォールユニット１０ｂとは、図３に示すように、互いに対向する縦枠部材１３ａ，１３ｂに設けられたガスケット部材２１ａ，２２ａ，２１ｂ，２２ｂどうしが互いに弾性変形しながら当接するとともに、第１蓋部３０と第２蓋部３２とが互いに弾性変形しながら圧着して接続することになる。つまり、第１蓋部３０と第２蓋部３２とが互いに断面形状が異なるカーテンウォールユニット１０間に介在して装着された介装部材を構成し、かかる介装部材が、第１蓋部３０と第２蓋部３２とが互いに弾性変形しながら圧着されることによりカーテンウォールユニット１０（１０ａ，１０ｂ）どうしを接続するものとなる。
【００３１】
このように第１蓋部３０と第２蓋部３２とが互いに弾性変形しながら圧着することにより、第１カーテンウォールユニット１０ａの断面形状と第２カーテンウォールユニット１０ｂの断面形状とが異なってもこれら第１蓋部３０と第２蓋部３２とが変形して吸収することができ、これによりこれら第１カーテンウォールユニット１０ａと第２カーテンウォールユニット１０ｂとを良好に接続することができる。
【００３２】
特に本実施の形態のように第２カーテンウォールユニット１０ｂの上枠部材１１ｂが第１カーテンウォールユニット１０ａの上枠部材１１ａとの高さ寸法が大きく異なる場合には、かかる上枠部材１１ｂにアタッチメント部材１５を付設することで高さ寸法の差を小さいものとし、上枠部材１１ｂ及びアタッチメント部材１５に第２蓋部３２を取り付けることにより、第２カーテンウォールユニット１０ｂを第１カーテンウォールユニット１０ａに確実に接続することができる。
【００３３】
しかも、第１蓋部３０は上枠部材１１ａの端部を覆っており、第２蓋部３２は上枠部材１１ｂ及びアタッチメント部材１５の端部を覆っているから雨水等の水が各カーテンウォールユニット１０に進入することを防止することができる。
【００３４】
更に、第１蓋部３０と第２蓋部３２とは互いに弾性変形しながら圧着することにより、第１カーテンウォールユニット１０ａと第２カーテンウォールユニット１０ｂとの間での水の移動を遮断する。これにより、第１カーテンウォールユニット１０ａと第２カーテンウォールユニット１０ｂとの間での水の移動が生ずることなく、雨水等の水は下方に向けて移動することとなり、第１カーテンウォールユニット１０ａと第２カーテンウォールユニット１０ｂとの間での水密性を確保することができる。
【００３５】
以上説明したように、本実施の形態であるカーテンウォールによれば、互いに隣接する異なる断面形状を有するカーテンウォールユニット１０どうしを気密性及び水密性を確保しながら良好に接続することができる。
【００３６】
以上、本発明の好適な実施の形態について説明したが、本発明はこれに限定されるものではなく、種々の変更を行うことができる。
【００３７】
例えば、各カーテンウォールユニットを構成する縦枠部材のビスホールの位置は、環状ガスケットタイプのものでもインターロックタイプのものでも調整することにより、上枠部材及び下枠部材を共通化するようにしてもよい。これによりコストの低減化を図ることができる。
【００３８】
また、上述した実施の形態では、互いに断面形状が異なるカーテンウォールユニット１０ａ，１０ｂの上枠部材１１ａ，１１ｂは、高さ寸法に差があったので、一方の上枠部材１１ｂにアタッチメント部材１５を設けていたが、本発明ではかかるアタッチメント部材１５は必須の構成要素ではなく、上枠部材どうしの高さ寸法の差が十分に小さければ、アタッチメント部材を設ける必要がない。
【産業上の利用可能性】
【００３９】
以上のように、本発明に係るカーテンウォールは、建物の外壁材を構成するのに有用である。
【符号の説明】
【００４０】
１０（１０ａ，１０ｂ）  カーテンウォールユニット
１１ａ，１１ｂ  上枠部材
１２ａ，１２ｂ  下枠部材
１３ａ，１３ｂ  縦枠部材
１４ａ，１４ｂ  面材パネル
１５  アタッチメント部材
２１ａ，２２ａ，２１ｂ，２２ｂ  ガスケット部材
３０  第１蓋部
３２  第２蓋部
【図１】
0005559579.tif 000002
【図２】
0005559579.tif 000003
【図３】
0005559579.tif 000004
【図４】
0005559579.tif 000005
【図５】
0005559579.tif 000006